(57)【要約】【課題】衣服内部の空調を行う構成を備えた場合に、衣服に設置する接続配線の数量を抑制した空調機能付き衣服を提供する。【解決手段】操作ボタン部を有する設定ユニット１３は、使用者によってなされた操作に対応する制御コードを無線通信によって空調制御ユニット１２へ送信し、空調用バッテリ１１とともに衣服１の腹部ポケット４に収納した空調制御ユニット１２は、受信した制御コードが示す動作を行うように、空調用バッテリ１１から供給される電力を用いて、衣服１の内部温度を調節する送風ファン１０ａ、および、送風ファン１０ｂの動作を制御することを特徴とする。【選択図】図１
0003225192.tif 000002
【実用新案登録請求の範囲】
【請求項１】
電力を用いて該衣服の内部温度を調節する空調部と、
前記電力を前記空調部へ供給する空調電源と、
前記空調部の動作を制御する空調制御ユニットと、
予め設定された前記空調部の動作を示す制御コードを前記空調制御ユニットへ出力する設定ユニットと、
を備え、
前記設定ユニットは、
使用者に操作を行わせる操作部と、
前記操作部になされた操作に対応する前記制御コードを出力する設定ユニット制御部と、
前記設定ユニット制御部から出力された前記制御コードを無線通信によって前記空調制御ユニットへ送信する設定ユニット通信部と、
を有し、
前記空調制御ユニットは、
前記設定ユニット通信部からの前記制御コードを受信する空調制御ユニット通信部と、
前記空調制御ユニット通信部が受信した前記制御コードを取得し、該制御コードが示す動作を行うように、前記空調電源から供給される電力を用いて前記空調部の動作を制御する空調制御部と、
を有する、
ことを特徴とする空調機能付き衣服。
【請求項２】
前記空調部は、
前記衣服内部に送風を行う送風ファンである、
ことを特徴とする請求項１に記載の空調機能付き衣服。
【請求項３】
前記空調部は、
前記衣服内部の暖房を行うヒータである、
ことを特徴とする請求項１または請求項２に記載の空調機能付き衣服。
【請求項４】
前記設定ユニットは、
前記設定ユニット通信部から送信する制御コードに対応した色で発光する表示部を有する、
ことを特徴とする請求項１から請求項３のいずれか１項に記載の空調機能付き衣服。
【請求項５】
請求項１から請求項４のいずれか１項に記載の空調機能付き衣服をベスト状に形成して長袖上着の裏地として備え、
前記設定ユニットを前記長袖上着の表側に設置した、
ことを特徴とする空調機能付き衣服。
【考案の詳細な説明】
【技術分野】
【０００１】
本開示は、送風および暖房機能を備えた衣服に関する。
【背景技術】
【０００２】
例えば、工事現場などで着用する作業着等の衣服には、着用者の体温上昇を抑制するために衣服内に送風を行う送風ファンを備えたもの（例えば、特許文献１）や、寒冷環境下において衣服内の暖房を行うヒータ（電気的発熱体）を備えたもの（例えば、特許文献２）がある。
上記の各衣服は、例えばポケットにバッテリを収納するように構成されており、ポケット内部のバッテリを送風ファンまたはヒータ等の配線部品（配線コネクタなど）に接続するか否かによって動作のオン・オフを行っている。
【先行技術文献】
【特許文献】
【０００３】
【特許文献１】特許第６２２６２１４号公報
【特許文献２】登録実用新案第３２１２９６３号公報
【考案の概要】
【考案が解決しようとする課題】
【０００４】
従来の送風ファンやヒータを備えた衣服は、例えば、バッテリと、送風ファンならびにヒータとの間に設けられた配線コネクタ等の接続ならびに取り外しによって、バッテリからの電源供給をオン・オフしていた。即ち、送風ファンやヒータ等の動作のオン・オフを、バッテリの電極端子に対する接続の有無によって行っているため、送風や暖房の動作制御を適宜行うことが困難であった。
また、上記の送風や暖房の動作を設定するスイッチ等を設けた場合には、衣服の内側等に設置される配線数が多くなり、衣服の製造が繁雑になるとともに、接続配線の接触不良などによって動作障害を起こす可能性が高くなる。
【０００５】
本開示は、上記のような問題に鑑みなされたもので、衣服内部の空調を行う構成を備えた場合に、衣服に設置される接続配線の数量を抑制した空調機能付き衣服を提供する。
【課題を解決するための手段】
【０００６】
本開示に係る空調機能付き衣服は、電力を用いて該衣服の内部温度を調節する空調部と、前記電力を前記空調部へ供給する空調電源と、前記空調部の動作を制御する空調制御ユニットと、予め設定された前記空調部の動作を示す制御コードを前記空調制御ユニットへ出力する設定ユニットと、を備え、前記設定ユニットは、使用者に操作を行わせる操作部と、前記操作部になされた操作に対応する前記制御コードを出力する設定ユニット制御部と、前記設定ユニット制御部から出力された前記制御コードを無線通信によって前記空調制御ユニットへ送信する設定ユニット通信部と、を有し、前記空調制御ユニットは、前記設定ユニット通信部からの前記制御コードを受信する空調制御ユニット通信部と、前記空調制御ユニット通信部が受信した前記制御コードを取得し、該制御コードが示す動作を行うように、前記空調電源から供給される電力を用いて前記空調部の動作を制御する空調制御部と、を有することを特徴とする。
【０００７】
また、前記空調部は、前記衣服内部に送風を行う送風ファンであることを特徴とする。
【０００８】
また、前記空調部は、前記衣服内部の暖房を行うヒータであることを特徴とする。
【０００９】
また、前記設定ユニットは、前記設定ユニット通信部から送信する制御コードに対応した色で発光する表示部を有することを特徴とする。
【００１０】
また、上記いずれかの空調機能付き衣服をベスト状に形成して長袖上着の裏地として備え、前記設定ユニットを前記長袖上着の表側に設置したことを特徴とする。
【考案の効果】
【００１１】
本開示によれば、温度調節の操作設定に使用する設定ユニットと空調制御ユニットとを無線接続することにより、衣服に設置する接続配線数を抑制することができる。
【図面の簡単な説明】
【００１２】
【図１】本開示の実施の形態１による空調機能付き衣服の前側の構成を示す正面図である。
【図２】図１の衣服の背後側の構成を示す背面図である。
【図３】図１の衣服に備えられた設定ユニットの概観を示す斜視図である。
【図４】図３の設定ユニットに備えられる電子回路の概略構成を示す説明図である。
【図５】図１および図２に示した衣服の空調機能に関する各部の概略接続構成を示す説明図である。
【図６】本開示の実施の形態２による空調機能付き衣服の前側の構成を示す正面図である。
【図７】図６の衣服の前合せ部を閉じた状態を示す正面図である。
【考案を実施するための形態】
【００１３】
以下、この考案の実施の一形態を説明する。
（実施の形態１）
図１は、本開示の実施の形態１による空調機能付きの衣服１の前側の構成を示す正面図である。衣服１は、例えば、長袖の作業着等であり、前身頃２が左右に開閉して前合せとなるように構成されている。
なお、図１では、左右の前身頃２が重なり合って前合せとなる部分を前合せ部３として示し、前合せ部３を閉じるファスナ、ボタンならびにボタンホールなどの留め具の図示を省略している。
【００１４】
衣服１は、前身頃２の下側に、例えば、前合せ部３を中心として、左右対称の位置にそれぞれ腹部ポケット４を備えている。
腹部ポケット４は、ポケット入口となる開口縁部にポケットファスナ５を備え、腹部ポケット４の内部に収納したものが、不意に外部へ飛び出さないように構成されている。
衣服１の下側左右にそれぞれ備えられた腹部ポケット４のうち、いずれか一方には、後述する送風ファン１０ａ，１０ｂ（空調部）の電源となる空調用バッテリ１１（空調電源）、および、送風ファン１０ａ，１０ｂなどの動作を制御する空調制御ユニット１２が収納されている。
【００１５】
ここで例示した衣服１は、左側の腹部ポケット４の内部に内ポケット（図示省略）を設け、この内ポケットに空調用バッテリ１１および空調制御ユニット１２を収納している。
なお、この内ポケットの内部においては、空調用バッテリ１１および空調制御ユニット１２が衝突することのないように位置決め（分離）されており、また、図示されない配線によって当該空調用バッテリ１１および空調制御ユニット１２が電気接続されている。
【００１６】
衣服１は、例えば、前身頃２の左胸部分に設定ユニット１３を設置している。設定ユニット１３は、後述するように無線通信を用いて空調制御ユニット１２と通信接続されている。
なお、設定ユニット１３の設置位置は、上記左胸部分に限定されず、衣服１の右胸部分に設置してもよく、また、胸ポケットの開口部を覆うフラップ（図示省略）などに設置してもよい。
また、設定ユニット１３は、前合せ部３にボタンホールを設けておき、このボタンホールに通すことによって前合せ部３を閉じた状態とする服飾用ボタンの機能も兼ね備えるように、当該前合せ部３に設置してもよい。
また、設定ユニット１３は、例えば、衣服１を洗濯する場合などには、衣服１から容易に取り外すことができるように、図示されない着脱自在の固定具等を備えて衣服１に設置固定するとよい。
【００１７】
図２は、図１の衣服１の背後側の構成を示す背面図である。衣服１の背後側を形成する後見頃６は、使用者が衣服１を装着したとき、当該使用者の腰部分の近傍となる位置に、例えば、リング状に形成された硬質ゴム等のマウント部材（図示省略）を備えている。このマウント部材は、例えば後見頃６の左側部位および右側部位にそれぞれ設けられており、このマウント部材のリング孔に送風ファン１０ａおよび送風ファン１０ｂをそれぞれ挿入（嵌合）することによって、当該後見頃６もしくは衣服１に送風ファン１０ａ，１０ｂが設置固定されている。
即ち、送風ファン１０ａ，１０ｂは、衣服１の内部へ外気を取り入れるように、当該送風ファン１０ａ，１０ｂの一部分を外部へ露出させて設置されている。
【００１８】
後見頃６は、衣服１の内側面にヒータ本体１４ａ，１４ｂ（空調部）をそれぞれ設置するヒータ用ポケット１５を備えている。
ヒータ本体１４ａ，１４ｂは、通電によって発熱する電気ヒータであり、例えば、任意の方向に延設された長手形状の略四辺形（長形）に形成されている。
ヒータ用ポケット１５は、例えば、衣服１もしくは後見頃６の上下方向に２つ並べて設置されており、衣服１もしくは後見頃６の横方向に延設されたポケット形状をしており、衣服１もしくは後見頃６の側端の方向からヒータ本体１４ａ，１４ｂをそれぞれ挿入するように形成されている。
図示した衣服１は、当該衣服１の使用者の背中部分に対して、横方向に延設されたヒータ本体１４ｂを上下方向に２つ並べて設置しており、上側のヒータ用ポケット１５にヒータ本体１４ａを挿入し、下側のヒータ用ポケット１５にヒータ本体１４ｂを挿入している。
【００１９】
なお、送風ファン１０ａ，１０ｂおよびヒータ本体１４ａ，１４ｂは、ぞれぞれの電源配線（図示省略）を空調制御ユニット１２に接続させている。
図２等に示した衣服１は、略四角形のヒータ本体１４ａ，１４ｂ（面状発熱体）を備えているが、図示したものと同様な位置に線状発熱体のヒータ本体１４ａ，１４ｂを設置して、衣服１を構成してもよい。線状発熱体のヒータ本体１４ａ，１４ｂを用いる場合には前述のヒータ用ポケット１５等は、衣服１に備えなくともよく、線状発熱体を後見頃６の内側に固定する、いずれかの構造を設けるとよい。
【００２０】
図３は、図１の衣服１に備えられた設定ユニット１３の概観を示す斜視図である。設定ユニット１３は、正面視したとき、例えば、角部をなくした略四角形状に形成されている。設定ユニット１３は、略四角形状の周縁部分となるように形成された支持枠部２１、支持枠部２１によって周囲を囲われた操作ボタン部２０、支持枠部２１等の背後側に配置され、後述する各部を収納している設定ユニット本体２２を備えて構成されている。
操作ボタン部２０は、使用者の指等によって押圧が加えられると、支持枠部２１側から設定ユニット本体２２側へ向かって、変位または移動する押しボタンスイッチである。
操作ボタン部２０および支持枠部２１などによって構成される設定ユニット１３の操作部は、概ね服飾用ボタンと同様な大きさに形成されている。また、例えば、衣服１に設定ユニット１３を設置し易くするため、設定ユニット１３全体を服飾用ボタンと概ね同様な大きさに形成してもよい。
【００２１】
図４は、図３の設定ユニット１３に備えられる電子回路の概略構成を示す説明図である。設定ユニット本体２２の内部には、例えば、スイッチセンサ部３０、設定ユニット制御部３１、表示部３２、設定ユニット通信部３３、設定ユニットバッテリ３４が備えられている。
スイッチセンサ部３０は、操作ボタン２０に押し操作がなされたとき、当該操作を検知して有意を示す電気信号を出力するように構成されている。
設定ユニット制御部３１は、予め制御プログラム等が格納されているメモリ（図示省略）、この制御プログラムに則って、スイッチセンサ部３０から入力した信号に対応する所定処理を行うプロセッサなどの各デバイス（図示省略）を備えて構成されている。
【００２２】
表示部３２は、例えば、複数の色に発光するように構成された発光デバイス（発光素子）などを備え、設定ユニット制御部３１の制御に応じて、操作ボタン部２０に設けられたアイコンなどの発光色を変化させるように構成されている。
設定ユニット通信部３３は、例えば、ブルートゥース（登録商標）規格に則った短距離通信用のデバイス（無線通信装置）であり、設定ユニット制御部３１から出力された所定の制御コードなどを送信するように構成されている。なお、設定ユニット通信部３３は、後述する空調制御ユニット１２から送信された、例えば通信制御等に用いる所定コードなどを受信することも可能に構成されている。
設定ユニットバッテリ３４は、上記の各部に備えられた電子回路等の電源であり、例えば、小型軽量に構成されたボタン電池などの一次電池である。
【００２３】
次に設定ユニット１３の動作について説明する。
設定ユニット制御部３１は、設定ユニットバッテリ３４から電力が供給されている間、常にスイッチセンサ部３０の出力信号を監視している。
設定ユニット制御部３１は、設定ユニット１３のデフォルト状態（衣服１に備えた全ての空調機能が停止した状態）において、表示部３２の発光を停止させ、設定ユニット通信部３３から制御コードを送信させない状態となるように該当する各部を制御している。
例えば、衣服１が「送風」、「標準暖房」、「強い暖房」の３種類の動作モードで空調を行うように予め設定されているとき、設定ユニット制御部３１は、次のように各部を制御する。
【００２４】
設定ユニット制御部３１は、デフォルト状態になっているときに操作ボタン部２０が１回押されて、スイッチセンサ部３０から初回の有意を示す信号を入力すると、表示部３２を例えば青色または白色（第１の発光色）に発光させる。また、予め設定された動作モードの「送風」を示す制御コードを設定ユニット通信部３３へ出力し、設定ユニット通信部３３から「送風」を示す制御コードを送信させる。
設定ユニット制御部３１は、「送風」を示す制御コードを送信させた後、操作ボタン部２０が１回押されて、スイッチセンサ部３０から（デフォルト状態から数えて）２回目の有意を示す信号を入力すると、表示部３２を例えばオレンジ色または淡い赤色（第２の発光色）に発光させる。また、予め設定された動作モードの「標準暖房」を示す制御コードを設定ユニット通信部３３へ出力し、設定ユニット通信部３３から「標準暖房」を示す制御コードを送信させる。
【００２５】
設定ユニット制御部３１は、「標準暖房」を示す制御コードを送信させた後、操作ボタン部２０が１回押されて、スイッチセンサ部３０から（デフォルト状態から数えて）３回目の有意を示す信号を入力すると、表示部３２を例えば濃い赤色（第３の発光色）に発光させる。また、予め設定された動作モードの「強い暖房」を示す制御コードを設定ユニット通信部３３へ出力し、設定ユニット通信部３３から「強い暖房」を示す制御コードを送信させる。
設定ユニット制御部３１は、「強い暖房」を示す制御コードを送信させた後、操作ボタン部２０が１回押されて、スイッチセンサ部３０から（デフォルト状態から数えて）４回目の有意を示す信号を入力すると、表示部３２の発光を停止させる。また、空調に関する動作を停止させる制御コードを設定ユニット通信部３３へ出力し、設定ユニット通信部３３から上記の動作停止を示す制御コードを送信させ、設定ユニット１３はデフォルト状態となる。
【００２６】
図５は、図１および図２に示した衣服１の空調機能に関する各部の概略接続構成を示す説明図である。
空調制御ユニット１２は、例えば、それぞれ電子回路等を備えて構成された制御ユニット通信部４０、切替制御部４１（空調制御部）、切替部４２（空調制御部）を有し、前述の空調用バッテリ１１から供給される電力を電源として上記の各電子回路が動作するように配線接続（図示省略）されている。
制御ユニット通信部４０は、前述の設定ユニット通信部３３と同一の通信規格に則って短距離通信を行うデバイス（無線通信装置）であり、設定ユニット１３（設定ユニット通信部３３）からの制御コード等を受信して切替制御部４１へ出力するように構成されている。なお、制御ユニット通信部４０は、例えば通信制御等に用いる所定コードなどを設定ユニット１３へ送信することも可能に構成されている。
【００２７】
切替制御部４１は、予め制御プログラム等が格納されているメモリ（図示省略）、この制御プログラムに則って、制御ユニット通信部４０から入力した制御コード等に対応する所定処理を行うプロセッサなどの各デバイス（図示省略）を備えて構成されている。
切替部４２は、複数の切替接点等を備えたスイッチングデバイスであり、切替制御部４１の制御によって切替接続を行うように構成されている。
切替部４２の入力端子には、空調用バッテリ１１の電極等が接続され、当該空調用バッテリ１１から供給される電力を入力するように電気接続されている。
切替部４２の複数の出力端子には、ヒータ本体１４ａ、ヒータ本体１４ｂ、送風ファン１０ａ、送風ファン１０ｂの各電源端子がそれぞれ個別に配線接続され、これらの空調部を稼働させる電源電力が、当該切替部４２を介して空調用バッテリ１１から供給されるように電気接続されている。
【００２８】
次に衣服１の空調機能に関する各部の動作を説明する。
制御ユニット通信部４０が、設定ユニット１３から送信された動作モード「送風」を示す制御コードを受信すると、切替制御部４１は、切替部４２を制御して、切替部４２の入力端子へ入力された電力が、送風ファン１０ａ，１０ｂが接続された切替部４２の各出力端子へ出力される状態（切替接続状態）に遷移させる。
この接続状態となった切替部４２を介して、空調用バッテリ１１からの電力が送風ファン１０ａ，１０ｂに供給され、これら送風ファン１０ａ，１０ｂが動作状態になる。なお、「送風」を示す制御コードが受信されたとき、切替制御部４１によって制御された切替部４２は、ヒータ本体１４ａ，１４ｂには電力を供給しない状態となる。
【００２９】
制御ユニット通信部４０が、設定ユニット１３から送信された動作モード「標準暖房」を示す制御コードを受信すると、切替制御部４１は、切替部４２を制御して、切替部４２の入力端子へ入力された電力が、例えばヒータ本体１４ａが接続された出力端子へ出力される接続状態に遷移させる。
この接続状態となった切替部４２を介して、空調用バッテリ１１からの電力がヒータ本体１４ａに供給され、ヒータ本体１４ａが動作状態になる。なお、「標準暖房」を示す制御コードが受信されたとき、切替制御部４１によって制御された切替部４２は、送風ファン１０ａ，１０ｂ、ヒータ本体１０ｂには電力を供給しない状態になる。
【００３０】
制御ユニット通信部４０が、設定ユニット１３から送信された動作モード「強い暖房」を示す制御コードを受信すると、切替制御部４１は、切替部４２を制御して、切替部４２の入力端子へ入力された電力が、ヒータ本体１４ａ，１４ｂが接続された各出力端子へ出力される接続状態に遷移させる。
この接続状態になった切替部４２を介して、空調用バッテリ１１からの電力がヒータ本体１４ａ，１４ｂに供給され、ヒータ本体１４ａ，１４ｂが動作状態になる。なお、「強い暖房」を示す制御コードが受信されたとき、切替制御部４１によって制御された切替部４２は、送風ファン１０ａ，１０ｂには電力を供給しない状態になる。
【００３１】
制御ユニット通信部４０が、設定ユニット１３から送信された、空調に関する動作を停止させる制御コードを受信すると、切替制御部４１は、切替部４２を遮断状態に制御する。即ち、切替部４２の入力端子から入力した電力が、切替部４２の全ての出力端子から出力されない遮断状態に遷移させ、衣服１の全ての空調動作が停止されたオフ状態（設定ユニット１３のデフォルト状態に対応した状態）にする。
【００３２】
なお、衣服１は、ここで説明した「送風」、「標準暖房」、「強い暖房」の動作モードを備えた構成に限定されず、他の空調動作を行うように構成してもよく、また、送風（冷却）および暖房のうち、いずれか一方のみを行うように構成してもよい。
また、衣服１は、複数の制御ユニット１３を備え、例えば、一の制御ユニット１３によって、送風動作と暖房動作とのいずれかを選択し、他の制御ユニット１３によって、選択された空調動作の強弱を調整するように構成してもよい。
また、制御ユニット１３は、押し操作を行うことによって設定内容を変化させる構成に限定されず、例えばボタン縁周を回動させることによって有意の信号を出力するように構成してもよい。
【００３３】
（実施の形態２）
図６は、本開示の実施の形態２による空調機能を備えた衣服１ａの前側の構成を示す正面図である。衣服１ａは、例えば、袖のないベスト等の形状をしており、前身頃２ａが左右に開閉して前合せとなるように構成されている。
なお、図６および後述する図７では、前身頃２ａの前合せとなる部分を前合せ部３ａとして示し、前合せ部３ａを閉じるファスナ、ボタンならびにボタンホールなどの留め具の図示を省略している。
図６に示した衣服１ａは、前合せ部３ａを開いた状態である。
【００３４】
衣服１ａは、前述の衣服１と同様な空調に関する各部（送風ファン１０ａ，１０ｂ、ヒータ本体１４ａ，１４ｂ、空調用バッテリ１１、空調制御ユニット１２等）を備えている。
衣服１ａの内側（背後側を形成する後見頃）には、前述の衣服１と同様に２つのマウント部材（図示省略）を設け、これらのマウント部材に送風ファン１０ａおよび送風ファン１０ｂをそれぞれ挿入（嵌合）し、当該送風ファン１０ａ，１０ｂを設置固定させている。
また、衣服１ａの内側には、衣服１と同様に２つのヒータ用ポケット１５を設け、これらのヒータ用ポケット１５に、ヒータ本体１４ａ，１４ｂを各々挿入して設置させている。上記の送風ファン１０ａ，１０ｂ、ヒータ本体１４ａ，１４ｂの設置位置ならびに固定する構造等は、衣服１と同様に構成されている。
なお、図６、図７に示した衣服１ａは、略四角形のヒータ本体１４ａ，１４ｂ（面状発熱体）を備えているが、図示したものと同様な位置に線状発熱体のヒータ本体１４ａ，１４ｂを設置して、衣服１ａを構成してもよい。線状発熱体のヒータ本体１４ａ，１４ｂを用いる場合には前述のヒータ用ポケット１５等は、衣服１ａに備えなくともよく、線状発熱体を衣服１ａの後見頃の内側に固定する、いずれかの構造を設けるとよい。
【００３５】
衣服１ａは、例えば、左右に開く前身頃２ａの何れか一方に腹部ポケット７を備え、この腹部ポケット７の内部に空調制御ユニット１２および空調用バッテリ１１を設置固定している。
腹部ポケット７は、例えば、内部に内ポケット（図示省略）が設けられており、この内ポケットに空調用バッテリ１１および空調制御ユニット１２を収納している。
なお、この内ポケットの内部においては、空調用バッテリ１１および空調制御ユニット１２が衝突することのないように位置決め（分離）されており、また、図示されない配線によって、衣服１と同様に空調用バッテリ１１および空調制御ユニット１２が電気接続されている。
【００３６】
図７は、図６の衣服１ａの前合せ部３ａを閉じた状態を示す正面図である。なお、図７に示した衣服１ａは、左右の前身頃２ａにそれぞれ腹部ポケット７を備えた構成を例示している。衣服１ａは、当該左右２つの前身頃２ａに各々腹部ポケット７を設け、いずれか一方の腹部ポケット７に空調用バッテリ１１および空調制御ユニット１２を収納するように構成してもよい。
図７の衣服１ａは、例えば、前合せ部３ａの上側部分に設定ユニット１３を設置している。設定ユニット１３は、前述のように無線通信によって空調制御ユニット１２と接続されている。
【００３７】
なお、設定ユニット１３の設置位置は、上記の前合せ部３ａの上側に限定されず、例えば、衣服１ａの胸ポケットの開口部を覆うフラップ（図示省略）などに設置してもよい。
また、設定ユニット１３は、大きさが適当であれば、前合せ部３ａにボタンホールを設けておき、このボタンホールに通すことによって前合せ部３ａを閉じた状態とするように、当該前合せ部３ａに設置してもよい。
この設定ユニット１３は、衣服１ａを洗濯する場合などには、衣服１ａから容易に取り外すことができるように、図示されない着脱自在の固定具等を備えて衣服１ａに設置固定するとよい。
【００３８】
衣服１ａに備えられた空調制御ユニット１２ならびに設定ユニット１３は、それぞれの構成や各動作については、衣服１に備えたものと同様である。また衣服１ａに備えられた空調制御ユニット１２に接続される送風ファン１０ａ，１０ｂ、および、ヒータ本体１４ａ，１４ｂについても、衣服１と同様に接続構成されている。ここでは、同様に構成され、また、同様に動作する部分の重複説明を省略する。
【００３９】
衣服１ａはベスト状に形成されていることから、長袖上着の裏地として備えることも可能である。例えば、スウェット生地のパーカーの裏地として衣服１ａを設置すると、空調機能を備えたパーカーを構成することができる。好ましくは、衣服１ａを裏地とした上着には、送風ファン１０ａ，１０ｂの設置位置に対応した通気口等を設けるとよい。また、設定ユニット１３は、例えば、上着の表側（表面）において、当該上着を着用した使用者が容易に操作できる位置に固定するとよい。
【００４０】
以上のように、衣服１，１ａは、当該衣服１，１ａに設置された空調部（送風ファン１０ａ，１０ｂ、ヒータ本体１４ａ，１４ｂ）の動作を制御する空調制御ユニット１２と、空調動作を設定する設定ユニット１３とを無線接続したので、衣服１，１ａの使用者が、適宜、衣服１，１ａ内部の温度調節をオン・オフすることができ、また、温度調節の強弱の設定を容易に行うことができる。
また、衣服１，１ａに設置する配線数を抑制することができ、当該衣服１，１ａ使用時に動作障害が発生することを抑えることができる。
【符号の説明】
【００４１】
１，１ａ  衣服
２，２ａ  前身頃
３，３ａ  前合せ部
４  腹部ポケット
５  ポケットファスナ
６  後見頃
７  腹部ポケット
１０ａ，１０ｂ  送風ファン
１１  空調用バッテリ
１２  空調制御ユニット
１３  設定ユニット
１４ａ，１４ｂ  ヒータ本体
１５  ヒータ用ポケット
２０  操作ボタン部
２１  支持枠部
２２  設定ユニット本体
３０  スイッチセンサ部
３１  設定ユニット制御部
３２  表示部
３３  設定ユニット通信部
３４  設定ユニットバッテリ
４０  制御ユニット通信部
４１  切替制御部
４２  切替部
【図１】
0003225192.tif 000003
【図２】
0003225192.tif 000004
【図３】
0003225192.tif 000005
【図４】
0003225192.tif 000006
【図５】
0003225192.tif 000007
【図６】
0003225192.tif 000008
【図７】
0003225192.tif 000009
【手続補正書】
【提出日】令和1年12月12日(2019.12.12)
【手続補正１】
【補正対象書類名】明細書
【補正対象項目名】０００６
【補正方法】変更
【補正の内容】
【０００６】
本開示に係る空調機能付き衣服は、電力を用いて衣服の内部温度を調節する空調部と、前記電力を前記空調部へ供給する空調電源と、前記空調部の動作を制御する空調制御ユニットと、予め設定された前記空調部の動作を示す制御コードを前記空調制御ユニットへ出力する設定ユニットと、を備え、前記設定ユニットは、使用者に操作を行わせる操作部と、前記操作部になされた操作に対応する前記制御コードを出力する設定ユニット制御部と、前記設定ユニット制御部から出力された前記制御コードを無線通信によって前記空調制御ユニットへ送信する設定ユニット通信部と、を有し、前記空調制御ユニットは、前記設定ユニット通信部からの前記制御コードを受信する空調制御ユニット通信部と、前記空調制御ユニット通信部が受信した前記制御コードを取得し、該制御コードが示す動作を行うように、前記空調電源から供給される電力を用いて前記空調部の動作を制御する空調制御部と、を有することを特徴とする。
【手続補正２】
【補正対象書類名】明細書
【補正対象項目名】０００８
【補正方法】変更
【補正の内容】
【０００８】
また、前記空調部は、前記衣服内部の暖房を行うヒータである、または、ヒータおよび前記衣服内部に送風を行う送風ファンであることを特徴とする。
【手続補正３】
【補正対象書類名】実用新案登録請求の範囲
【補正対象項目名】全文
【補正方法】変更
【補正の内容】
【実用新案登録請求の範囲】
【請求項１】
電力を用いて衣服の内部温度を調節する空調部と、
前記電力を前記空調部へ供給する空調電源と、
前記空調部の動作を制御する空調制御ユニットと、
予め設定された前記空調部の動作を示す制御コードを前記空調制御ユニットへ出力する設定ユニットと、
を備え、
前記設定ユニットは、
使用者に操作を行わせる操作部と、
前記操作部になされた操作に対応する前記制御コードを出力する設定ユニット制御部と、
前記設定ユニット制御部から出力された前記制御コードを無線通信によって前記空調制御ユニットへ送信する設定ユニット通信部と、
を有し、
前記空調制御ユニットは、
前記設定ユニット通信部からの前記制御コードを受信する空調制御ユニット通信部と、
前記空調制御ユニット通信部が受信した前記制御コードを取得し、該制御コードが示す動作を行うように、前記空調電源から供給される電力を用いて前記空調部の動作を制御する空調制御部と、
を有する、
ことを特徴とする空調機能付き衣服。
【請求項２】
前記空調部は、
前記衣服内部に送風を行う送風ファンである、
ことを特徴とする請求項１に記載の空調機能付き衣服。
【請求項３】
前記空調部は、
前記衣服内部の暖房を行うヒータである、
または、ヒータおよび前記衣服内部に送風を行う送風ファンである、
ことを特徴とする請求項１に記載の空調機能付き衣服。
【請求項４】
前記設定ユニットは、
前記設定ユニット通信部から送信する制御コードに対応した色で発光する表示部を有する、
ことを特徴とする請求項１から請求項３のいずれか１項に記載の空調機能付き衣服。
【請求項５】
請求項１から請求項４のいずれか１項に記載の空調機能付き衣服をベスト状に形成して長袖上着の裏地として備え、
前記設定ユニットを前記長袖上着の表側に設置した、
ことを特徴とする空調機能付き衣服。